(57)【特許請求の範囲】
【請求項１】
本試験に合格するための学習を支援する学習支援システムであり、
学習者が行う学習に関連する情報を取得する取得部と、
前記学習に関連する情報に基づいて、前記学習者に対するポイントの付与および剥奪を行う計算部と、
前記ポイントの情報を前記学習者に提示する提示部と、を有し、
前記取得部は、前記学習者が行った学習行動に関する情報である学習行動情報と、前記学習者のテスト結果に関する情報であるテスト結果情報とを取得し、
前記計算部は、前記学習行動情報および前記テスト結果情報に基づいて、前記学習者へのポイントの付与および前記学習者からのポイントの剥奪を行うものであり、
過去の複数の学習者について、該学習者の学習行動とテスト結果とポイントと前記本試験の合否とを機械学習し、ポイントと本試験の合格確率とが相関するように、前記学習行動に属する行動および前記テスト結果である得点に対して付与または剥奪するポイントの調整を行う学習部を更に有し、
前記計算部は、前記調整の結果に基づいて、前記学習行動に属する各行動および前記テスト結果である得点に対してポイントを付与または剥奪する、
学習支援システム。
【請求項２】
前記計算部は、前記学習行動情報に基づいて前記学習者にポイントを付与し、前記テスト結果情報に基づいて前記学習者のポイントを剥奪する、
請求項１に記載の学習支援システム。
【請求項３】
前記取得部は、前記学習行動情報として、前記学習者が前記学習行動を実行した時間に関する情報を取得し、
前記計算部は、前記学習行動を実行した時間に基づいて前記学習者にポイントを付与する、
請求項１に記載の学習支援システム。
【請求項４】
前記学習行動には、テキストの精読と、講義映像の視聴と、問題演習とが含まれる、
請求項１に記載の学習支援システム。
【請求項５】
前記取得部は、前記学習者による学習の効率に間接的に影響する間接行動に関する情報である間接行動情報を更に取得し、
前記計算部は、前記学習行動および前記間接行動に基づくポイントを前記学習者に付与する、
請求項１に記載の学習支援システム。
【請求項６】
前記学習行動情報には、前記学習者が前記学習行動を実行した時間に関する情報が含まれ、
前記間接行動情報には、前記学習者の睡眠時間の情報および睡眠時間帯の情報が含まれ、
前記計算部は、当日の前記学習行動を実行した時間に基づき算出されるポイントの値に、前日の睡眠時間の情報および該睡眠時間帯の情報に基づく係数を乗算して算出されるポイントを前記学習者に付与する、
請求項５に記載の学習支援システム。
【請求項７】
前記学習行動に属する行動に対して付与するポイントは、行動の分類に対して設定される所定の基準配点と、該分類の具体的な行動に対して設定される所定の係数とを乗算した値であり、
前記学習部は、前記学習により、前記基準配点と前記係数のいずれか一方または両方を調整する、
請求項１に記載の学習支援システム。
【請求項８】
本試験に合格するための学習を支援するための学習支援方法であり、学習者が行う学習に関連する情報を取得し、前記学習に関連する情報に基づいて、前記学習者に対するポイントの付与および剥奪を行い、前記ポイントの情報を前記学習者に提示することをコンピュータが実行する学習支援方法において、
前記学習者が行った学習行動に関する情報である学習行動情報と、前記学習者のテスト結果に関する情報であるテスト結果情報とを取得し、
前記学習行動情報および前記テスト結果情報に基づいて、前記学習者へのポイントの付与および前記学習者からのポイントの剥奪を行うものであり、
更に、過去の複数の学習者について、該学習者の学習行動とテスト結果とポイントと前記本試験の合否とを機械学習し、ポイントと本試験の合格確率とが相関するように、前記学習行動に属する行動および前記テスト結果である得点に対して付与または剥奪するポイントの調整を行うものであり、
前記調整の結果に基づいて、前記学習行動に属する各行動および前記テスト結果である得点に対してポイントを付与または剥奪する、
学習支援方法。
【請求項９】
本試験に合格するための学習を支援するための学習支援プログラムであり、学習者が行う学習に関連する情報を取得し、前記学習に関連する情報に基づいて、前記学習者に対するポイントの付与および剥奪を行い、前記ポイントの情報を前記学習者に提示することをコンピュータに実行させるための学習支援プログラムにおいて、
前記学習者が行った学習行動に関する情報である学習行動情報と、前記学習者のテスト結果に関する情報であるテスト結果情報とを取得し、
前記学習行動情報および前記テスト結果情報に基づいて、前記学習者へのポイントの付与および前記学習者からのポイントの剥奪を行うものであり、
更に、過去の複数の学習者について、該学習者の学習行動とテスト結果とポイントと前記本試験の合否とを機械学習し、ポイントと本試験の合格確率とが相関するように、前記学習行動に属する行動および前記テスト結果である得点に対して付与または剥奪するポイントの調整を行うものであり、
前記調整の結果に基づいて、前記学習行動に属する各行動および前記テスト結果である得点に対してポイントを付与または剥奪する、
という処理を前記コンピュータに実行させるための学習支援プログラム。
【発明の詳細な説明】
【技術分野】
【０００１】
本開示は、学習者の学習を支援する技術に関する。
【背景技術】
【０００２】
長期にわたり学習意欲を維持し、継続的に学習を行うことが求められる。
【０００３】
特許文献１には、学習意欲の維持を図るための技術が提案されている。特許文献１に開示された仕組みは、仮想空間内でゲーム形式による学習を進め、学習が進捗するにつれて地位やポイント、景品等の特別の特典が得られる仕組みである。例えば、森林や森といった仮想空間内で発見した動植物の名前を当てればポイントが得られ、危険な場所を無事に通り過ぎればポイントが得られる。また、無茶な行動をして危険に遭遇するとポイントが減点される。
【０００４】
学習者は、ポイントの取得と減点を繰り返しながら概ゲーム形式による学習を進め、ある一定水準のポイント数を超えればポイント数に応じた景品と交換できる。学習を進めることにより景品等に交換できるポイントを獲得できるので、学習者の学習意欲の維持に貢献することができる。
【先行技術文献】
【特許文献】
【０００５】
【特許文献１】特開２０１０−２２５１２９号公報
【発明の概要】
【発明が解決しようとする課題】
【０００６】
特許文献１のシステムでのポイント制御は、好ましい行動をするとポイントが得られ、好ましくない行動をするとポイントが減点されるという単純なものであり、継続的な学習が求められ、習慣化とモチベーションの維持が重要となる受験や資格試験等の学習において、学習を効果的に支援できていない可能性があった。
【０００７】
本開示のひとつの目的は、学習を効果的に支援することを可能にする技術を提供することである。
【課題を解決するための手段】
【０００８】
本開示のひとつの実施態様に従う学習支援システムは、学習者が行う学習に関連する情報を取得する取得部と、前記学習に関連する情報に基づいて、前記学習者に対するポイントの付与および剥奪を行う計算部と、前記ポイントの情報を前記学習者に提示する提示部と、を有し、前記取得部は、前記学習者が行った学習行動に関する情報である学習行動情報と、前記学習者のテスト結果に関する情報であるテスト結果情報とを取得し、前記計算部は、前記学習行動情報および前記テスト結果情報に基づいて、前記学習者へのポイントの付与および前記学習者からのポイントの剥奪を行う。
【発明の効果】
【０００９】
本開示のひとつの態様によれば、学習者の学習を効果的に支援することができる。
【図面の簡単な説明】
【００１０】
【図１】学習支援システムのブロック図である。
【図２】学習支援システムのポイント算出処理のフローチャートである。
【図３】学習行動ポイント算出情報を示すテーブルである。
【図４】間接行動ポイント算出情報を示すテーブルである。
【図５】学習者に付与されたポイントの一例を示すテーブルである。
【図６】テスト結果ポイント算出情報を示すテーブルである。
【図７】学習支援システムの算出条件更新処理のフローチャートである。
【図８】学習支援システムのハードウェア構成を示す図である。
【発明を実施するための形態】
【００１１】
以下、本発明の実施形態について図面を参照して説明する。
【００１２】
図１は、学習支援システムのブロック図である。
【００１３】
学習支援システム１０は、学習者８０がパーソナルコンピュータ、スマートホンおよびタブレット端末などの情報端末装置を利用し、ブラウザあるいはアプリケーションソフトウェアにより、インターネットなどのネットワーク経由で接続可能な情報処理システムである。学習支援システム１０は、所定の試験の本試験を受験する準備としての学習を行う学習者８０の学習を支援する。所定の試験は、国家試験、資格試験、技能検定試験、入学試験などの試験である。学習支援システムは、学習者の学習に関連する行動に基づいて学習者へのポイントの付与および学習者からのポイントの剥奪を行う。ポイントは、学習者８０のアカウントに対して付与される電子的な点数である。ポイントは例えば商品やサービスの代金の代わりに利用できるものであってもよい。ある行為に対してポイントを付与することは、その行為に対するインセンティブとなる。学習支援システムは、ポイントの付与および剥奪を巧妙に制御することにより学習者８０に好ましい習慣を付けさせ、高いモチベーションを維持して効果的な学習を行えるように支援する。
【００１４】
図１を参照すると、学習支援システム１０は、取得部１１、計算部１２、提示部１３、行動情報データベース（ＤＢ）１４、テスト結果情報ＤＢ１５、ポイント算出情報ＤＢ１６、ポイント情報ＤＢ１７、および学習部１８を有している。
【００１５】
取得部１１は、学習者８０による学習に関連する情報を取得し、記録する。例えば、取得部１１は、情報入力画面を表示して学習者８０に情報の入力を促し、入力された情報を取得して記録してもよい。あるいは、学習支援システム１０が、学習者８０にオンライン学習のコンテンツを提供する学習システム（不図示）と連携しており、取得部１１は、学習システムから、学習に関連する情報を取得してもよい。
【００１６】
学習者８０による学習に関連する情報として、行動情報と、テスト結果情報とが含まれる。行動情報は、学習者８０が行った学習行動を示す学習行動情報の他、学習の効率に間接的に影響する間接行動を示す間接行動情報を含んでいてもよい。学習行動は、例えば、テキストの精読、講義コンテンツの視聴、問題演習などである。間接行動は、運動、朝の食事、午後の仮眠、夜の睡眠などである。取得部１１は、行動情報は行動情報ＤＢ１４に記録し、テスト結果情報をテスト結果情報ＤＢ１５に記録する。
【００１７】
計算部１２は、学習者８０が保有しているポイントをポイント情報ＤＢ１７上で管理し、学習者８０の学習に関連する情報に基づいて、学習者８０に対するポイントの付与および剥奪を行う。計算部１２は、ポイント算出情報ＤＢ１６に格納されているポイント算出情報に示される算出条件に従って、学習者８０の行動情報に基づき学習者８０に付与するポイントを算出する。また、計算部１２は、ポイント算出情報ＤＢ１６に格納されているポイント算出情報に示される算出条件に従って、学習者８０のテスト結果情報に基づき学習者８０から剥奪するポイントを算出する。
【００１８】
提示部１３は、学習者８０が保有しているポイントの情報を学習者に提示する。例えば、提示部１３は、行動情報またはテスト結果情報が更新され、ポイントの付与あるいは剥奪が生じたときに、学習者８０に付与されたポイントあるいは剥奪されたポイントと学習者８０が保有するポイントとを画面に表示することにしてもよい。また、学習支援システム１０あるいはオンライン学習のコンテンツを提供する学習システム（不図示）に学習者８０がログインあるいはログアウトするときに、学習者８０が保有しているポイントを画面に表示することにしてもよい。
【００１９】
学習部１８は、本試験を受験し合否の結果が出ている過去の複数の学習者について、各学習者の学習行動とテスト結果とポイントと本試験の合否とを機械学習し、その学習者のポイントと本試験の合格確率とが相関するように、学習行動に属する行動およびテスト結果である得点に対して付与または剥奪するポイントの調整を行い、調整結果の算出条件をポイント算出情報ＤＢ１６に記録する。
【００２０】
図２は、学習支援システムのポイント算出処理のフローチャートである。ポイント算出処理は、取得部１１、計算部１２、および提示部１３により実行される。
【００２１】
まず、取得部１１が、行動情報が入力されたか否か判定する（ステップＳ１０１）。学習行動および／または間接行動の行動情報が入力されていれば、取得部１１は、その入力された行動情報を取得する（ステップＳ１０２）。
【００２２】
本実施例では、一例として、学習行動の情報として、勉強時間と、その中で、テキストの精読を行った時間と、講義の視聴を行った時間と、問題演習を行った時間とが取得される。
【００２３】
勉強時間として、勉強を行った合計の時間と、その内訳として、午前の勉強時間と、午後の勉強時間と、夜の勉強時間とが取得される。
【００２４】
また、テキストの精読を行った時間は、ただテキストを精読する勉強時間と、（１）なるべく早く音読でテキストを読んだ勉強時間と、（２）重要なことをメモしながら読む勉強時間と、（３）重要なことをメモしながらなるべく早く音読でテキストを読む勉強時間とに分類して取得される。
【００２５】
講義を視聴した時間は、ただ漠然と視聴していた勉強時間と、（１）メモを取りながらしっかり視聴していた勉強時間と、（２）講義にいちいちう頷きながらしっかり視聴していた勉強時間と、（３）重要事項を復唱しながら視聴していた勉強時間数と、（４）上記メモを取る、頷く、および復唱するという３つのうち２つを同時に行いながら、講義を視聴していた勉強時間と、（５）上記メモを取る、頷く、復唱するという３つを同時に行いながら、講義を視聴していた勉強時間と、に分類して取得される。
【００２６】
問題演習を行った時間は、ただ問題を演習する勉強時間と、（１）時間を測って演習する勉強時間と、（２）間違っている箇所を正しい内容に書き出しながら演習する勉強時間と、（３）時間を測り間違っている箇所を正しい内容に書き出しながら演習する勉強時間とに分類して取得される。
【００２７】
また、間接行動の情報として、睡眠時間および睡眠時間帯と、午後の仮眠の有無、朝食を取ったか否かと、運動を行った時間とが取得される。
【００２８】
睡眠時間は、（１）６時間未満と、（２）６時間以上７時間未満と、（３）７時間以上８時間未満と、（４）８時間以上１０時間未満と、（５）１０時間以上とに分類して取得される。睡眠時間帯は、就寝開始時刻により、（１）就寝開始が２２時台と、（２）就寝開始が２３時台と、（３）就寝開始が２４時台と、（４）就寝時間が１時台と、（５）就寝開始が２時以降と、に分類して取得される。睡眠時間と睡眠時間帯は、就寝開始時刻と起床時刻とを取得し、それらから算出することにしてもよい。
【００２９】
午後の仮眠の有無は、午後に２０〜４０分の仮眠を行ったか否かで決まる。
【００３０】
朝食を取ったか否かは、（１）あり、（２）なしに分類される。
【００３１】
運動を行った時間は、毎日その日に運動を行った時間を取得して１週間分を集計し、（１）３０分以上の運動を週５回以上行ったと、（２）５０分以上の運動を週２回以上行ったと、（３）上記（１）（２）のいずれにも該当しなかったとに分類される。
【００３２】
図２に戻り、続いて、計算部１２が、取得された行動情報に基づいて、学習者８０に付与するポイントを算出し、学習者８０が保有しているポイントに加算する（ステップＳ１０３）。学習者８０に付与するポイントは、行動ポイント算出情報に定められた算出条件に従って算出される。ポイント算出情報は、ポイント算出情報ＤＢ１６に予め格納されている。
【００３３】
行動ポイント算出情報には、学習行動ポイント算出情報と、間接行動ポイント算出情報とが含まれる。
【００３４】
図３は、学習行動ポイント算出情報を示すテーブルである。
【００３５】
学習行動ポイント算出情報２０は、日毎の学習行動について学習行動に基づき学習者８０に付与するポイントを算出するときに用いる算出条件が定められている。算出条件は、学習行動の各項目の各学習行動の具体的内容について、基準配点と、ライフスタイル指数とが定められている。基準配点とライフスタイル指数を乗算することにより、学習者８０に付与するポイントを算出することができる。
【００３６】
例えば、全体の勉強時間について基準配点が１００である。全体の勉強時間のうち（１）午前の勉強時間については、ライフスタイル指数が時間数×２である。（２）午後の勉強時間については、ライフスタイル指数は時間数×１．５である。（３）夜の勉強時間については、ライフスタイル指数は時間数×１である。したがって、学習者８０がその日の午前に２時間学習を行った場合、ライフスタイル指数は２×２＝４なので、付与されるポイントは、１００×４＝４００ポイントとなる。また、本実施例では、効果的な学習行動に該当しない行動については、負のライフスタイル指数が設定されている。例えば、全体の勉強時間について、その日には勉強を全くしなかった場合、ライフスタイル指数が０（ゼロ）である。したがって、学習者８０がその日全く学習を行わなかった場合、付与されるポイントは、１００×０＝０ポイントとなる。
【００３７】
図４は、間接行動ポイント算出情報を示すテーブルである。
【００３８】
間接行動ポイント算出情報３０は、間接行動についてその間接行動に基づき学習者８０に付与するポイントを算出するときに用いる算出条件が定められている。算出条件は、間接行動の各項目の各分類について、基準配点と、ライフスタイル指数とが定められている。基準配点とライフスタイル指数を乗算することにより、学習者８０に付与するポイントを算出することができる。
【００３９】
例えば、睡眠時間について基準配点が２０である。そして、分類が、（１）６時間未満であれば、ライフスタイル指数は、翌日の勉強時間×０．６である。分類が、（２）６時間以上７時間未満であれば、ライフスタイル指数は、翌日の勉強時間×０．９である。分類が、（３）７時間以上８時間未満であれば、ライフスタイル指数は、翌日の勉強時間×１である。分類が、（４）８時間以上１０時間未満であれば、ライフスタイル指数は、翌日の勉強時間×０．９である。分類が、（５）１０時間以上であれば、ライフスタイル指数は、翌日の勉強時間×０．８である。したがって、学習者８０の、ある日の睡眠時間が７時間であり、翌日の勉強時間が３時間えあれば、ライフスタイル指数は、３×１＝３なので、付与されるポイントは、２０×３＝６０ポイントとなる。
【００４０】
また、例えば、運動について基準配点が１４０である。運動については１週間毎にポイントが付与され、基準配点は１週間に対する値である。分類が、（１）３０分の運動を週５回行ったというものであれば、ライフスタイル指数は、その週の勉強時間×１．１である。分類が、（２）５０分の運動を週２回行ったというものであれば、ライフスタイル指数は、その週の勉強時間×１である。分類が、（３）の（１）にも（２）にも該当しないというものであれば、ライフスタイル指数は、その週の勉強時間×０．９である。例えば、３０分の運動を週５回行い、その週の勉強時間が１５時間であれば、ライフスタイル指数は１５×１．１＝１６．５となり、その週に付与されるポイントは、１４０×１６．５＝２３１０となる。
【００４１】
図５は、学習者に付与されたポイントの一例を示すテーブルである。
【００４２】
図５において、ポイント情報４０には一例として１１月１日月曜日から１１月７日日曜日までに学習者８０に付与されたポイントの情報が示されている。ポイント情報４０には、日ごとに、学習行動および間接行動の項目と、行動の具体的内容と、その行動により付与された行動毎のポイントと、その日に付与されたポイントの小計と、累積されたポイントとが記録される。例えば、１１月１日の月曜日には、学習者８０は、午前に１時間学習を行ったことで２００ポイントを獲得し、夜に１時間学習を行ったことで１００ポイントを獲得している。
【００４３】
図２に戻り、続いて、提示部１３が、算出された付与されるポイントを画面に表示して学習者８０に提示する（ステップＳ１０４）。
【００４４】
ステップＳ１０４の後、あるいは、ステップＳ１０１で行動情報が入力されていなかったとき、取得部１１が、テスト結果情報が入力されたか否か判定する（ステップＳ１０５）。
【００４５】
本実施例では、一例として、テストとして学習コンテンツ内試験と模擬試験とがある。学習コンテンツ内試験は、学習者８０にオンライン学習のコンテンツを提供する学習システムが学習コンテンツと連動させて提供する試験コンテンツである。試験コンテンツは、例えば、複数の問題について、問題を示す文字情報とその問題の解答欄となる入力フォームとを含むＷｅｂページ情報であり、画面を通じて、学習者８０に試験の問題を提示し、学習者８０が入力した問題に対する解答を取得し、その解答の正誤を判定する。試験コンテンツのテスト結果は学習者８０が取った得点である。試験コンテンツには、講義コンテンツの途中で提供する理解度確認試験（チェックテスト）のコンテンツと、講義コンテンツによる所定の単元の終了後に提供する正解力確認試験（確認テスト）と、暗記すべき事項を問う暗記試験（合格カード）とがある。模擬試験は、本試験を模擬した問題を学習者８０に提示し、その問題に対して解答させるテストである。
【００４６】
テスト結果情報が入力されていなければ、一連のポイント算出処理を終了する。いずれかのテスト結果情報が入力されていれば、取得部１１は、そのテスト結果情報を取得する（ステップＳ１０６）。
【００４７】
次に、計算部１２は、取得されたテスト結果情報に基づいて、学習者８０から剥奪するポイントを算出し、学習者８０が保有しているポイントから減算する（ステップＳ１０７）。学習者８０から剥奪するポイントは、テスト結果ポイント算出情報に定められた算出条件に従って算出される。テスト結果ポイント算出情報は、ポイント算出情報ＤＢ１６に予め格納されている。
【００４８】
図６は、テスト結果ポイント算出情報を示すテーブルである。テスト結果ポイント算出情報５０には、各試験種別について、得点の範囲と、剥奪するポイントとの対応付けが設定されている。
【００４９】
試験コンテンツによる試験である、チェックテスト、確認テスト、および合格カードは、一例として、満点が１００点であり、基準点が８０点である。得点が８０点に満たない場合にポイントを剥奪する。得点が７５点から７９点までであれば、１００００ポイントを剥奪する。得点が７０点から７４点までであれば、２００００ポイントを剥奪する。得点が６５点から６９点までであれば、３００００ポイントを剥奪する。得点が６０点から６４点までであれば、４００００ポイントを剥奪する。得点が５９点以下であれば、５００００ポイントを剥奪する。
【００５０】
模擬試験は、一例として、満点が５０点であり、基準点が３５点である。得点が３５点に満たない場合にポイントを剥奪する。得点が３０点から３４点までであれば、５０００ポイントを剥奪する。得点が２５点から２９点までであれば、１００００ポイントを剥奪する。得点が２０点から２４点までであれば、２００００ポイントを剥奪する。得点が１９点以下であれば、５００００ポイントを剥奪する。
【００５１】
図２に戻り、続いて、提示部１３が、算出された剥奪されるポイントを画面に表示して学習者８０に提示し（ステップＳ１０８）、一連のポイント算出処理を終了する。
【００５２】
図７は、学習支援システムの算出条件更新処理のフローチャートである。算出条件更新処理は、学習部１８により実行される。
【００５３】
まず、学習部１８は、行動情報ＤＢ１４、テスト結果情報ＤＢ１５、およびポイント情報ＤＢ１７から、本試験を受験し合否の結果が出ている過去の複数の学習者について、各学習者の過去の学習行動、テスト結果、およびポイントの情報を取得する（ステップＳ２０１）。次に、学習部１８は、それら過去の複数の学習者の本試験の結果すなわち合否の情報を取得する（ステップＳ２０２）。次に、学習部１８は、過去の各学習者の学習行動とテスト結果とポイントと本試験の合否とを機械学習し、その学習者が獲得したポイントと本試験の合格確率とが相関するように、学習行動に属する行動およびテスト結果である得点に対して付与または剥奪するポイントの値を調整する（ステップＳ２０３）。なお、ここで用いる機械学習の手法は特に限定されない。
【００５４】
上述したように、行動に対して付与するポイントは、行動の分類に対して設定される基準配点と、その分類の具体的な行動に対して設定されるライフスタイル指数とを乗算した値である（図３、図４も参照）。ここでは、学習部１８は、例えば、学習行動および／または間接行動における基準配点および／またはラフスタイル指数の値を調整してもよい。
【００５５】
更に、学習部１８は、調整結果に基づいて、ポイント算出情報ＤＢ１６における学習行動ポイント算出情報および／または間接行動ポイント算出情報を更新する。
【００５６】
図８は、学習支援システムのハードウェア構成を示す図である。
【００５７】
本実施形態では、学習支援システム１０はインターネット等の通信ネットワーク９０経由で学習者８０の端末装置７８と接続する。学習者８０は、端末装置７８上のブラウザ７９を用いて学習支援システム１０に接続し、そのサービスを利用する。学習支援システム１０は、ハードウェアとして、処理装置７１、メインメモリ７２、記憶装置７３、通信装置７４、入力装置７５、および表示装置７６を有し、それらがバス７７に接続されている。
【００５８】
記憶装置７３は、書込みおよび読み出しが可能にデータを記憶するものであって、この記憶装置７３によって、図１に示した行動情報ＤＢ１４、テスト結果情報ＤＢ１５、ポイント算出情報ＤＢ１６、ポイント情報ＤＢ１７が実現される。処理装置７１は、記憶装置７３に記憶されたデータをメインメモリ７２に読み出し、メインメモリ７２を利用してソフトウェアプログラムの処理を実行するプロセッサである。処理装置７１によって、図１に示した取得部１１、計算部１２、提示部１３、および学習部１８が実現される。通信装置７４は、処理装置７１にて処理された情報を有線または無線あるいはそれら両方を含む通信ネットワーク９０を介して送信し、また通信ネットワーク９０を介して受信した情報を処理装置７１に伝達する。受信した情報は処理装置７１にてソフトウェアの処理に利用される。入力装置７５は、キーボードやマウスなどオペレータによる操作入力による情報を受け付ける装置であり、入力された情報は処理装置７１にてソフトウェア処理に利用される。例えば、ポイント算出情報の初期値は通信装置７４や入力装置７５を介して記憶装置７３に入力されてよい。表示装置７６は、処理装置７１によるソフトウェア処理に伴って画像やテキストの情報をディスプレイ画面に表示する装置である。
【００５９】
以上、本発明の実施形態について述べてきたが、本発明は、これらの実施形態だけに限定されるものではなく、本発明の技術思想の範囲内において、これらの実施形態を組み合わせて使用したり、一部の構成を変更したりしてもよい。上記の実施形態の一部又は全部は以下の事項のように記載することもできる。ただし、本発明が以下の事項に限定されるものではない。
【００６０】
（事項１）
【００６１】
学習支援システムは、学習者が行う学習に関連する情報を取得する取得部と、前記学習に関連する情報に基づいて、前記学習者に対するポイントの付与および剥奪を行う計算部と、前記ポイントの情報を前記学習者に提示する提示部と、を有し、前記取得部は、前記学習者が行った学習行動に関する情報である学習行動情報と、前記学習者のテスト結果に関する情報であるテスト結果情報とを取得し、前記計算部は、前記学習行動情報および前記テスト結果情報に基づいて、前記学習者へのポイントの付与および前記学習者からのポイントの剥奪を行う。したがって、学習者が、報酬による習慣化の効果により、好ましい学習行動を習慣化し、また、罰金によるモチベーション強化の効果により、学習の努力を継続することを支援することが可能となる。
【００６２】
（事項２）
【００６３】
上記事項１の学習支援システムにおいて、前記計算部は、前記学習行動情報に基づいて前記学習者にポイントを付与し、前記テスト結果情報に基づいて前記学習者のポイントを剥奪する。行動の習慣化には報酬が効果的であり、モチベーションの強化には罰金が効果的であるといわれている。本態様では、報酬による習慣化の効果と、罰金によるモチベーション強化の効果とを、ポイントを付与したり剥奪したりするポイント管理に組み込んで巧妙に連携させ、学習者に学習を習慣化させつつモチベーションを強化して効果的な学習を継続的に実行させることを可能にする。
【００６４】
（事項３）
【００６５】
上記事項１の学習支援システムにおいて、前記取得部は、前記学習行動情報として、前記学習者が前記学習行動を実行した時間に関する情報を取得し、前記計算部は、前記学習行動を実行した時間に基づいて前記学習者にポイントを付与する。したがって、学習時間を増やすように学習者を習慣づけることを支援できる。
【００６６】
（事項４）
【００６７】
上記事項１の学習支援システムにおいて、前記学習行動には、テキストの精読と、講義映像の視聴と、問題演習とが含まれる。したがって、通信教育や自宅学習において重要な学習行動を習慣づけることを支援できる。
【００６８】
（事項５）
【００６９】
上記事項１の学習支援システムにおいて、前記取得部は、前記学習者による学習の効率に間接的に影響する間接行動に関する情報である間接行動情報を更に取得し、前記計算部は、前記学習行動および前記間接行動に基づくポイントを前記学習者に付与する。学習に間接的に影響する生活習慣などの間接行動についても好ましい行動を習慣化することを支援できる。
【００７０】
（事項６）
【００７１】
上記事項５の学習支援システムにおいて、前記学習行動情報には、前記学習者が前記学習行動を実行した時間に関する情報が含まれ、前記間接行動情報には、前記学習者の睡眠時間の情報および睡眠時間帯の情報が含まれ、前記計算部は、当日の前記学習行動を実行した時間に基づき算出されるポイントの値に、前日の睡眠時間の情報およ該睡眠時間帯の情報に基づく係数を乗算して算出されるポイントを前記学習者に付与する。勉強時間に対する学習の効果に影響する睡眠行動について好ましい行動を習慣化することを支援できる。
【００７２】
（事項７）
【００７３】
上記事項１の学習支援システムにおいて、前記学習支援システムは、本試験に合格するための学習を支援するシステムであり、過去の複数の学習者について、該学習者の学習行動とテスト結果とポイントと前記本試験の合否とを学習し、ポイントと本試験の合否とが相関するように、前記学習行動に属する行動および前記テスト結果である得点に対して付与または剥奪するポイントの調整を行う学習部を更に有し、前記計算部は、前記調整の結果に基づいて、前記学習行動に属する各行動および前記テスト結果である得点に対してポイントを付与または剥奪する。学習者が本試験の合否と相関するポイントを獲得するために努力することで、より学習行動の習慣化とモチベーションの強化とが可能となる。また、学習者のポイントの獲得状況により、その学習者の本試験の合否の予測が可能となる。
【００７４】
（事項８）
【００７５】
上記事項７の学習支援システムにおいて、前記学習行動に属する行動に対して付与するポイントは、所定の基準配点と所定の係数とを乗算した値であり、前記学習部は、前記学習により、前記基準配点と前記係数のいずれか一方または両方を調整する。
【符号の説明】
【００７６】
１０…学習支援システム、１１…取得部、１２…計算部、１３…提示部、１４…行動情報ＤＢ、１５…テスト結果情報ＤＢ、１６…ポイント算出情報ＤＢ、１７…ポイント情報ＤＢ、１８…学習部、２０…学習行動ポイント算出情報、３０…間接行動ポイント算出情報、４０…ポイント情報、５０…テスト結果ポイント算出情報、７１…処理装置、７２…メインメモリ、７３…記憶装置、７４…通信装置、７５…入力装置、７６…表示装置、７７…バス、７８…端末装置、７９…ブラウザ、８０…学習者、９０…通信ネットワーク
【要約】      （修正有）【課題】学習を効果的に支援することを可能にする技術を提供する。【解決手段】学習支援システム１０は、学習者が行う学習に関連する情報を取得する取得部１１と、学習に関連する情報に基づいて、学習者に対するポイントの付与および剥奪を行う計算部１２と、ポイントの情報を学習者に提示する提示部１３と、を有する。取得部１１は、学習者が行った学習行動に関する情報である学習行動情報と、学習者のテスト結果に関する情報であるテスト結果情報とを取得する。計算部１２は、学習行動情報およびテスト結果情報に基づいて、学習者へのポイントの付与および学習者からのポイントの剥奪を行う。【選択図】図１【図１】
0006815673.tif 000002
【図２】
0006815673.tif 000003
【図３】
0006815673.tif 000004
【図４】
0006815673.tif 000005
【図５】
0006815673.tif 000006
【図６】
0006815673.tif 000007
【図７】
0006815673.tif 000008
【図８】
0006815673.tif 000009